(57)【要約】【課題】作業者がスレート屋根で作業し易くすることで作業効率を向上させる。【解決手段】スレートＳで葺かれたスレート屋根Ｒに足場を形成するスレート屋根用足場板１において、作業者が歩くための足場形成部２と、足場形成部２の下側に設けられ、スレート屋根Ｒ上に載置されるベース部３とが備えられている。ベース部３は、足場形成部２の傾斜角度がスレート屋根Ｒの傾斜角度よりも小さい値となるように足場形成部２の傾斜角度を設定する。【選択図】図１
2010209590.tif 000002
【特許請求の範囲】
【請求項１】
スレートで葺かれたスレート屋根に足場を形成するスレート屋根用足場板であって、
作業者が歩くための足場形成部と、
上記足場形成部の下側に設けられ、スレート屋根に載置されるベース部とを備え、
上記ベース部は、上記足場形成部の傾斜角度がスレート屋根の傾斜角度よりも小さい値となるように該足場形成部の傾斜角度を設定し、又は、該足場形成部を水平とするように形成されていることを特徴とするスレート屋根用足場板。
【請求項２】
請求項１に記載のスレート屋根用足場板において、
ベース部には、スレート屋根の波形状に対応して延びる波形状部が形成され、
上記波形状部には、下方に突出する部分において、上記スレート屋根の傾きに沿う方向に貫通する貫通孔が形成されていることを特徴とするスレート屋根用足場板。
【請求項３】
請求項２に記載のスレート屋根用足場板において、
波形状部の下方に突出する先端部分には貫通孔と連通する切り欠き部が形成されていることを特徴とするスレート屋根用足場板。
【請求項４】
請求項１乃至３に記載のスレート屋根用足場板において、
ベース部が非通電性の材質で形成されていることを特徴とするスレート屋根用足場板。
【請求項５】
請求項１乃至４に記載のスレート屋根用足場板において、
ベース部が独立気泡の発泡材で形成されていることを特徴とするスレート屋根用足場板。
【請求項６】
請求項１乃至５に記載のスレート屋根用足場板において、
ベース部がクッション材で構成され、
足場形成部が上記ベース部よりも固い材質であることを特徴とするスレート屋根用足場板。
【発明の詳細な説明】
【技術分野】
【０００１】
本発明は、スレート屋根の足場板に関し、特に、スレート屋根の補修、塗装、点検、清掃等の作業性を向上させるスレート屋根用足場板に関する。
【背景技術】
【０００２】
従来より、工場、倉庫、駅のプラットフォームの上屋等の屋根は、スレートによって葺かれたスレート屋根で構成されることが多い。このようなスレートが葺かれた屋根上では、スレートの取り替え工事や、屋根及び樋の点検・清掃、塗装等のために、作業者が屋根上を歩行する必要があり、このときに特許文献１に開示されているようにスレート屋根用足場板が用いられている。
【特許文献１】特開２００７−２３９４１５号公報
【発明の開示】
【発明が解決しようとする課題】
【０００３】
ところで、工事等に必要な工具や屋根の修理に必要な重い部材等を作業者がスレート屋根上で持って歩く場合や、強い風が吹く状況下で作業しなければならない場合において、特許文献１の足場板は、スレート屋根に載置するとスレート屋根の傾斜角度と同じだけ傾くので、作業者はスレート屋根の上で作業をする際にバランスを崩し易い。したがって、作業者はスレート屋根の上において作業がし難く、作業効率が低下してしまう。
【０００４】
本発明は斯かる点に鑑みてなされたものであり、スレート屋根において作業者が作業し易くすることで作業効率を向上させることにある。
【課題を解決するための手段】
【０００５】
上記目的を達成するために、第１の発明では、スレートで葺かれたスレート屋根に足場を形成するスレート屋根用足場板であって、作業者が歩くための足場形成部と、上記足場形成部の下側に設けられ、スレート屋根に載置されるベース部とを備え、上記ベース部は、上記足場形成部の傾斜角度がスレート屋根の傾斜角度よりも小さい値となるように該足場形成部の傾斜角度を設定し、又は、該足場形成部を水平とするように形成されている構成とした。
【０００６】
この構成によれば、作業者がスレート屋根の上でバランスを崩しにくくなる。
【０００７】
第２の発明では、第１の発明において、ベース部には、スレート屋根の波形状に対応して延びる波形状部が形成され、上記波形状部には、下方に突出する部分において、上記スレート屋根の傾きに沿う方向に貫通する貫通孔が形成されている構成とした。
【０００８】
この構成によれば、雨が降った際、スレート屋根の上を足場板の上方から流れる雨水が、貫通孔を通過して足場板の下方へ流れて排水されるので、足場板によってスレート屋根の上にせき止められて溜まらなくなる。
【０００９】
第３の発明では、第２の発明において、波形状部の下方に突出する先端部分には貫通孔と連通する切り欠き部が形成されている構成とした。
【００１０】
この構成によれば、貫通孔を流れる雨水が切り欠き部によって貫通孔の外へ排水され、貫通孔内に溜まりにくくなる。
【００１１】
第４の発明では、第１から３のいずれか１つの発明において、ベース部が非通電性の材質で形成されている構成とした。
【００１２】
この構成によれば、電流が通らない足場板となる。
【００１３】
第５の発明では、第１から４のいずれか１つの発明において、ベース部が独立気泡の発泡材で形成されている構成とした。
【００１４】
この構成によれば、雨水を吸収しにくくなるとともに内部に埃が入り込みにくい足場板となる。
【００１５】
第６の発明によれば、第１から５のいずれか１つの発明において、ベース部がクッション材で構成され、足場形成部が上記ベース部よりも固い材質である構成とした。
【００１６】
この構成によれば、作業者が足場板上で作業をする際に、クッション材は柔らかいのでスレート屋根に沿うように変形し、ベース部とスレート屋根との接触面が広くなる。したがって、足場板上で作業する作業者の荷重がスレート屋根に分散するようになる。また、足場形成部がベース部よりも固い材質からなるので作業者が足場形成部の上を歩いても折れ曲がらずに作業し易くなる。
【発明の効果】
【００１７】
第１の発明によれば、作業者はスレート屋根上で作業し易くなり、作業者の作業効率を高めることができる。
【００１８】
第２の発明によれば、スレート屋根の上を流れる雨水が貫通孔を通過して足場板よりも下方へ流れるので、足場板によってスレート屋根の上に雨水が溜まるのを抑止できる。したがって、雨天時において、スレート屋根の上に載置した足場板が雨水によって流されてしまうのを防止することができる。
【００１９】
第３の発明によれば、切り欠き部によって貫通孔内に雨水が溜まりにくくなるので、雨水によって足場板の重量は重くなりにくく、作業者は足場板を容易に搬送できる。
【００２０】
第４の発明によれば、足場板は電流を通さないので、仮にスレート屋根に落雷があった場合でも、足場板上で作業する作業者の感電を防止することができる。
【００２１】
第５の発明によれば、雨天時や埃が多い場所での作業でも足場板の重量は重くなりにくく、作業者は足場板を容易に搬送できる。また、足場板の内部にまで埃が入らないので足場板の劣化を防止でき、耐久性を向上させることができる。
【００２２】
第６の発明によれば、クッション材によってスレート屋根に作業者の荷重が局部的に集中しないようにし、作業者によるスレート屋根の破損を防ぐことができる。また、足場形成部によってスレート屋根の上において作業者が作業し易くなるので作業効率をより一層高めることができる。
【発明を実施するための最良の形態】
【００２３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２４】
図１は、本発明のスレート屋根用足場板１をスレート屋根Ｒの上に載置した状態を示す。上記スレート屋根用足場板１は、スレート屋根Ｒの上で作業者の足場を形成する板状の足場形成部２と、該足場形成部２の下方に一体に接合されるベース部３とから構成されている。
【００２５】
スレート屋根用足場板１の構造を説明する前に、スレート屋根Ｒの構造について説明する。スレート屋根Ｒは、図６に示すように、母屋を構成する鉄骨構造体の骨材Ｆｒと、骨材Ｆｒの上部に配置されるスレートＳと、スレートＳを骨材Ｆｒに取り付けるためのボルトＢｏ及びナットＮｕとを備えている。骨材Ｆｒは、所定の間隔をあけて複数配置されている。ボルトＢｏの基部には、骨材Ｆｒに引っ掛かる鈎部が形成されている。ボルトＢｏは、この鈎部からスレートＳを貫通する方向に真っ直ぐに延びており、先端部がスレートＳを貫通してスレートＳの上面から突出している。ボルトＢｏの先端部には、ナットＮｕが螺合している。
【００２６】
図１に示すように、足場形成部２はスレートＳの波形状が連続する方向に沿って延びる板形状をなしている。上記足場形成部２は、図２に示すように、平面視で長方形をなしており、長手方向の寸法は約１２００ｍｍに設定され、幅方向の寸法は約３００ｍｍに設定されている。足場形成部２は、図４に示すように、中央材２１と、該中央材２１を上下方向に挟むように形成された板状の上側材２２及び下側材２３と、足場形成部２を補強する上側補強リブ２４と下側補強リブ２５とから構成されており、作業者が工具等の重い物を持ちながら足場形成部２の上を歩いても折れ曲がらずに作業がし易くなるようになっている。
【００２７】
上記中央材２１は、例えば、建築材に用いられる押出ポリスチレン等の発泡材からなるものであり、図４に示すように、中央材２１の上面から下方に窪んで長手方向に真っ直ぐ延びる上側凹溝部２１ａが、幅方向中央を中心として対称に一対形成されている。また、上記中央材２１は、該中央材２１の下面から上方に窪んで長手方向に真っ直ぐ延びる下側凹溝部２１ｂが、幅方向中央を中心として対称に一対形成されている。そして、上記下側凹溝部２１ｂの各々は、上側凹溝部２１ａよりも幅方向外方に位置している。また、上記中央材２１には、図６に示すように、幅方向略中央においてスレートＳ面に対して直交する方向に貫通し、長手方向に延びる貫通孔２１ｃが長手方向に３カ所形成されている。すなわち、貫通孔２１ｃはボルトＢｏの中心軸方向に貫通している。
【００２８】
上側材２２及び下側材２３は、例えば、繊維強化プラスチック（ＦＲＰ）等からなるものであり、図１に示すように、平板の形状をなし、中央材２１の上面及び下面に沿って延びている。図示しないが上側材２２の上面には、作業者のスリップ防止のため、砂を散りばめて接着させた薄い層が形成されている。上側補強リブ２４及び下側補強リブ２５は、例えば、繊維強化プラスチック等からなる平板状の補強材である。上側補強リブ２４は、中央材２１に形成された上側凹溝部２１ａに嵌り込むようになっており、下側補強リブ２５は、下側凹溝部２１ｂに嵌り込むようになっている。上記上側材２２及び下側材２３には、中央材２１の貫通孔２１ｃに対応するようにそれぞれ貫通孔２２ｃ及び貫通孔２３ｃが形成されている。そして、中央材２１の上側凹溝部２１ａに上側補強リブ２４を嵌め込むとともに中央材２１の下側凹溝部２１ｂに下側補強リブ２５を嵌め込み、上側材２２を中央材２１の上面に接着剤等で接着し、下側材２３を中央材２１の下面に接着剤等で接着する。これにより、中央材２１と、上側材２２と、下側材２３と、上側補強リブ２４と、下側補強リブ２５とが一体化され、足場形成部２が形成されるようになっている。
【００２９】
図１に示すように、上記ベース部３は、発泡ポリエチレン等の独立気泡の発泡材で形成されたクッション材であり、スレートＳの波形状に対応して延びる波形状部３１と、該波形状部３１の上方に位置し、上面が足場形成部２と接着される本体部３２とを備えている。ここで独立気泡とは、発泡材中に独立した気泡を多数有するもののことを言い、吸水性が極めて小さく、衝撃吸収性、加工性、浮揚性に優れているのを特徴としている。例えば、ＪＳＰ社製のミラプランク−Ｅ（登録商標）を用いるのが適している。上記ベース部３では発泡倍率が１５倍の発泡材を使用している。図６に示すように、ベース部３には、足場形成部２の貫通孔２１ｃ、２２ｃ、２３ｃに対応する位置にスレートＳ面に対して直交する方向に貫通する貫通孔３ｃが形成されている。すなわち、貫通孔３ｃはボルトＢｏの中心軸方向に貫通している。そして、足場形成部２とベース部３とが接合されると、足場形成部２の貫通孔２１ｃ、２２ｃ、２３ｃと、ベース部３の貫通孔３ｃとによって、ボルトＢｏの中心軸方向に貫通する貫通孔１ａが形成されるようになっている。上記足場板１をスレート屋根Ｒに載置する際に、スレート屋根ＲにおけるボルトＢｏ及びナットＮｕが貫通孔１ａ内となるように載置することで足場板１のベース部３とボルトＢｏ及びナットＮｕとの接触を避けることができるようになっている。
【００３０】
波形状部３１は、足場板１をスレートＳ上に載置した状態で、下面の略全体がスレートＳに接触するような形状となっている。この波形状部３１の下方に突出する部分には、スレート屋根Ｒの傾きに沿う方向に貫通する貫通孔３１ａが形成されている。この貫通孔３１ａの断面形状は、スレート屋根Ｒの波形状に沿う方向の幅が突出方向先端に行くにしたがって狭くなるように略三角形となっている。さらに、波形状部３１の下方に突出する先端部分には、上記貫通孔３１ａにスレート屋根Ｒの傾きに沿う方向全体に亘って連通する直線状の切り欠き部３１ｂが形成されている。上記貫通孔３１ａと切り欠き部３１ｂとは切り抜きにより形成されている。上記貫通孔３１ａと切り欠き部３１ｂとは以下のように形成される。まず、ベース部３が溶ける程度となるまで発熱させた電熱線を用い、上記波形状部３１の下方に突出する先端部分から電熱線を波形状部３１内に切り込ませる。そして、貫通孔３１ａ及び切り欠き部３１ｂの形状に対応するように電熱線を動かすと、電熱線の軌跡の内側部分が他の部分から分離される。この分離した部分を取り除くことで貫通孔３１ａ及び切り欠き部３１ｂが得られるようになっている。上記貫通孔３１ａ及び切り欠き部３１ｂを形成することによって波形状部３１は柔らかくなるので、スレート屋根Ｒの上に載置された足場板１上で作業者が作業する際に、波形状部３１はスレート屋根Ｒの波形状に沿って変形し易くなる。また、貫通孔３１ａを設けることによって作業者は貫通孔３１ａ内に指を入れることができるようになり、これにより足場形成部２を掴み易くなるので、足場板１の搬送が容易となるようになっている。
【００３１】
図４に示すように、本実施形態では、スレート屋根Ｒの傾斜角度約１６．７度に対して足場形成部２が水平となるように本体部３２の断面形状を設定している。すなわち、本体部３２は、スレートＳの波形状が連続する方向に沿って延びており、その断面形状は、スレート屋根Ｒの上側に位置する高さ寸法が下側に位置する高さ寸法より短くなるようにすることで、足場形成部２が水平となるようになっている。つまり、本体部３２の断面形状を変えることによって足場形成部２の傾斜角度をスレート屋根Ｒの傾斜角度よりも小さい値とすることができるようになっている。
【００３２】
尚、波形状部３１の下面は、スレートＳの波形状と全く同じ形状でなくてもよく、対応していればよい。すなわち、足場形成部２に作業者が上がった時に、ベース部３の波形状部３１がスレートＳに対して面接触するように変形することで作業者の荷重が局部的に作用しないようにすればよい。したがって、例えば、スレート屋根Ｒの上に足場板１を載置した状態で波形状部３１の突出部分の高さが、スレートＳの窪んだ部分の深さと異なっていてもよく、また、波形状部３１に細かな凹凸や溝が形成されていてもよい。
【００３３】
また、ベース部３はスレートＳと同系色の灰色のものを用いるのが好ましい。塗装により着色してもよいし、灰色の発泡材を用いて製作してもよい。
【００３４】
また、ベース部３は、独立気泡の発泡材で、比重が１未満であるので水よりも軽い。したがって、足場板１は水に浮くぐらいに軽量であり、作業者が持ち運び易いものとなっている。
【００３５】
次に、上記のように構成された足場板１をスレート屋根Ｒの上に載置する場合について説明する。足場板１をスレート屋根Ｒの上に載置するとき、足場板１の貫通孔１ａ内にスレート屋根ＲにおけるボルトＢｏ及びナットＮｕが位置するようにする。するとベース部３とボルトＢｏ及びナットＮｕとが接触せずに足場板１を載置することができる。このとき、ベース部３の本体部３２によってスレート屋根Ｒの上で足場形成部２が水平となる。つまり、足場形成部２の傾斜角度がゼロとなる。したがって、作業者はスレート屋根Ｒ上でバランスを崩しにくくなるので作業がし易くなり、作業者の作業効率を高めることができる。また、貫通孔１ａがボルトＢｏの中心軸の延長線上に位置することになるので、ナットＮｕを締めたり緩めたりする際には、工具を貫通孔１ａの上方から貫通孔１ａ内へ差し込んでいくだけで工具が貫通孔１ａの内面でスムーズに案内されながらナットＮｕまで到達するようになる。これにより、ナットＮｕを締めたり緩めたりする作業の作業性が向上する。
【００３６】
上記足場板１上に作業者が上がると、作業者の荷重によりベース部３がスレートＳに押さえ付けられる。これにより、スレートＳの表面に凹凸等があっても、ベース部３の波形状部３１の下面がスレートＳの表面の形状に沿うように変形し、波形状部３１の下面の広い範囲がスレートＳの表面に密着する。したがって、作業者の荷重が局部的に作用しなくなるとともに足場板１の滑りが抑制される。加えて、例えば、足場板１がスレート屋根Ｒの傾斜方向に移動しようとしたとき、ボルトＢｏ及びナットＮｕが貫通孔３ｃ内に位置していることにより、足場板１の移動がボルトＢｏ及びナットＮｕによって阻止される。
【００３７】
以上説明したように、本発明にかかるスレート屋根用足場板１によれば、足場板１をスレート屋根Ｒ上に載置した際に、ベース部３によって足場形成部２が水平となる。したがって、作業者はスレート屋根Ｒ上でバランスを崩しにくくなって作業がし易くなり、作業者の作業効率を高めることができる。尚、足場形成部２は水平でなくてもよく、スレート屋根Ｒの傾斜角度約１６．７度よりも小さくて、以下に示すように所定の角度傾斜するものでもよい。上記所定の角度は、５度以内であるのが好ましい。これは、実際に足場板１をスレート屋根Ｒ上に截置して複数の作業者により実験した結果、傾斜角度が５度よりも大きいと作業者が傾きがあることを感じてバランスを取りにくいという結果を得られたことから設定した数値であり、より好ましくは傾斜角度が３度以内となる場合である。
【００３８】
また、ベース部３の波形状部３１には、下方に突出する部分においてスレートＳに沿う方向に延びる貫通孔３１ａが形成されているので、雨が降ってもスレート屋根Ｒ上を足場板１の上方から流れる雨水が貫通孔３１ａを通過して足場板１の下方に流れるようになる。したがって、足場板１によってスレート屋根Ｒ上に雨水が溜まるのを抑止でき、雨水によって足場板１が流されてしまうのを防止できる。
【００３９】
また、波形状部３１の下方に突出する先端部分には貫通孔３１ａに連通する切り欠き部３１ｂが形成されているので、切り欠き部３１ｂによって雨水が貫通孔３１ａから排水され、貫通孔３１ａ内に雨水が溜まりにくくなる。したがって、雨水によって足場板１が重くなりにくく、作業者は容易に足場板１を搬送できる。
【００４０】
また、足場形成部２は押出ポリスチレン及びＦＲＰで形成され、ベース部３は発泡ポリエチレンで形成されているので、足場板１は電流を通さない。したがって、仮にスレート屋根Ｒに落雷があった場合でも、足場板１上で作業する作業者の感電を防止することができる。また、足場板１には金属部分が設けられていないので、雨水によって濡れても錆の発生による劣化は生じない。
【００４１】
また、ベース部３は独立気泡の発泡ポリエチレンで形成されているので、雨水を吸収しにくくなるとともに内部に埃が入り込みにくくなる。したがって、雨天時や埃が多い場所の作業においても足場板１は重くなりにくく、作業者は容易に足場板１を搬送できる。また、足場板１の内部にまで埃が入らないので足場板１の劣化を防止でき、耐久性を向上させることができる。
【００４２】
また、ベース部３が発泡ポリエチレンで構成され、足場形成部２がベース部３よりも固い押出ポリスチレン及びＦＲＰで構成されているので、作業者が足場板１に上がると、クッション材で形成されたベース部３がスレート屋根Ｒの波形状に沿うように変形し、ベース部３とスレート屋根Ｒとの接触面が多くなる。したがって、作業者の荷重がスレート屋根Ｒに局部的に作用しないようにできる。また、足場形成部２がベース部３よりも固いので作業者はスレート屋根Ｒの上で作業をし易くなり、作業効率を高めることができる。
【産業上の利用可能性】
【００４３】
本発明は、例えば、スレート屋根の補修、塗装、点検、清掃等の作業性を向上させるスレート屋根で使用する足場板として適している。
【図面の簡単な説明】
【００４４】
【図１】スレート屋根用足場板をスレート屋根の上に載置した状態を示した斜視図である。
【図２】スレート屋根用足場板の平面図である。
【図３】スレート屋根用足場板の正面図である。
【図４】スレート屋根用足場板の側面図である。
【図５】図１のＡ−Ａ線における断面図である。
【図６】図１のＢ−Ｂ線における断面図である。
【符号の説明】
【００４５】
１        スレート屋根用足場板
１ａ        貫通孔
２        足場形成部
３        ベース部
３ｃ        貫通孔
２１        中央材
２１ａ        上側凹溝部
２１ｂ        下側凹溝部
２１ｃ        貫通孔
２２        上側材
２２ｃ        貫通孔
２３        下側材
２３ｃ        貫通孔
２４          上側補強リブ
２５          下側補強リブ
３１        波形状部
３１ａ        貫通孔
３１ｂ        切り欠き部
３２        本体部
Ｒ        スレート屋根
Ｓ        スレート
Ｆｒ        骨材
Ｂｏ        ボルト
Ｎｕ        ナット
【図１】
2010209590.tif 000003
【図２】
2010209590.tif 000004
【図３】
2010209590.tif 000005
【図４】
2010209590.tif 000006
【図５】
2010209590.tif 000007
【図６】
2010209590.tif 000008